(57)【要約】      （修正有）【課題】利用者に合わせて装着感を調整できるメガネ、光学電子機器および側圧調整部材を提供する。【解決手段】映像を視認するための機構を備えるフレーム１と、フレーム１に対して折曲可能に接続されたテンプル２と、を有し、フレーム１とテンプル２との接続部分３には、テンプル２による側圧を調整する側圧調整部材４が配置可能で、側圧調整部材４は、テンプル２が挿通可能なリング状に形成され、周方向の位置により太さが異なる部分を複数備えていて、テンプル２による側圧は、フレーム１とテンプル２の折曲部分に配置されてフレーム１とテンプル２とにより挟まれる部分の側圧調整部材４の太さにより調整され、てなる光学電子機器１００による。【選択図】図１
2014038202.tif 000002
【特許請求の範囲】
【請求項１】
映像を視認するための機構を備えるフレームと、
上記フレームに対して折曲可能に接続されたテンプルと、
上記フレームと上記テンプルの接続部分に配置された側圧調整部材と、
を有してなる光学電子機器であって、
上記側圧調整部材は、上記テンプルが挿通可能なリング状に形成され、
上記テンプルによる側圧は、上記フレームと上記テンプルとより挟まれる部分の上記側圧調整部材の太さにより調整される、
ことを特徴とする光学電子機器。
【請求項２】
上記側圧調整部材は、周方向の位置により太さが異なる部分を複数備えている、請求項１記載の光学電子機器。
【請求項３】
上記側圧調整部材は、弾性部材からなる、請求項１または２記載の光学電子機器。
【請求項４】
上記フレームと上記テンプルの少なくとも一方には、上記フレームと上記テンプルにより挟まれる上記側圧調整部材の部分が収まる収納溝が形成されている、
請求項１乃至３のいずれかに記載の光学電子機器。
【請求項５】
上記テンプルには、上記側圧調整部材が掛止される保持溝が形成されている、
請求項１乃至４のいずれかに記載の光学電子機器。
【請求項６】
上記フレームは３Ｄ映像を視認するためのシャッター機構を備え、請求項１乃至５のいずれかに記載の光学電子機器。
【請求項７】
フレームとテンプルとが折曲可能に接続されたメガネに着脱可能な弾性部材からなる側圧調整部材であって、
上記テンプルが挿通可能なリング状に形成され、
上記リングの太さは、上記リングの周方向の位置により異なり、
上記フレームと上記テンプルの接続部分に配置され、上記フレームと上記テンプルにより挟まれる部分の太さにより、上記テンプルによる側圧を異ならせる弾性部材である、
ことを特徴とする側圧調整部材。
【請求項８】
レンズを備えるフレームと、
上記フレームに対して折曲可能に接続されたテンプルと、
上記フレームと上記テンプルの接続部分に配置された側圧調整部材と、
を有してなるメガネであって、
上記側圧調整部材は、上記テンプルが挿通可能なリング状に形成され、
上記テンプルによる側圧は、上記フレームと上記テンプルにより挟まれる部分の上記側圧調整部材の太さにより調整される、
ことを特徴とするメガネ。
【請求項９】
上記側圧調整部材は、周方向の位置により太さが異なる部分を複数備えている、請求項８記載のメガネ。
【請求項１０】
上記側圧調整部材は、弾性部材からなる請求項８または９記載のメガネ。
【請求項１１】
上記フレームと上記テンプルの少なくとも一方には、上記フレームと上記テンプルにより挟まれる上記側圧調整部材の部分が収まる収納溝が形成されている、
請求項８乃至１０のいずれかに記載のメガネ。
【請求項１２】
上記テンプルには、上記側圧調整部材が掛止される保持溝が形成されている、
請求項８乃至１１のいずれかに記載のメガネ。
【発明の詳細な説明】
【技術分野】
【０００１】
本発明は、利用者に合わせて装着感を調整できるメガネ、光学電子機器および側圧調整部材に関するものである。
【背景技術】
【０００２】
メガネは、レンズが嵌め込まれたフレームと、利用者の耳介に掛かるテンプルとが、蝶番を介して接続してなる。この蝶番によりテンプルがフレームに対して回動し、テンプルが利用者の側頭部に所定の圧力（側圧）を与えることで、メガネが利用者の頭部の所定の位置で保持される。フレームやテンプルの寸法や、蝶番により回動するテンプルの折曲角度などによって、利用者が受ける側圧の大きさは異なる。よって、各利用者は最適な使用感を得られる寸法のメガネを選択する。
【０００３】
しかし、利用者の頭部の大きさなどは千差万別であるので、各利用者に合うものを全て予め製造することは困難である。そこで、ある程度の平均的な寸法を用いて製造し、個々の利用者に最適なテンプルの折曲角度を調整できるように、折曲角度調整機構を備えたメガネが知られている（例えば特許文献１を参照）。特許文献１のメガネは、折曲角度の調整を、テンプルとフレームの接合部に配置されたピンにより行うものである。
【先行技術文献】
【特許文献】
【０００４】
【特許文献１】特開昭６２−３５３２１号公報
【０００５】
近年では、特殊なメガネとして、立体画像の視聴に用いる３Ｄメガネが知られている。３Ｄメガネは、通常のメガネレンズの代わりに、液晶シャッターなどのシャッター機構が用いられている。また、３Ｄメガネはテンプル部分や本体側面部分にシャッター機構の制御部を備えている。３Ｄメガネのような特殊なメガネは高価であるから、１台の３Ｄメガネを複数の利用者で共用できることが望ましい。例えば、大人と子供であっても共用できることが望ましい。
【０００６】
しかし、特許文献１のメガネが備える折曲角度調整機構は、フレームに対するテンプルの折曲角度（可動調整量）を、金具（ピン）の寸法により調整するものであるから、頭部の大きさが大幅に異なる利用者それぞれに使用可能な程度に調整するには、ピンの大きさが間に合わず、調整は困難である。また、このピンによる調整は、単にテンプルの折曲角度を調節するものであって側圧を与える機能はない。特許文献１のメガネは、テンプルの柔軟性による側圧しか期待できない。
【０００７】
すなわち、特許文献１の折曲角度調整機構を用いても、大人と子どもが共用可能なメガネを得ることはできない。また、特許文献１の側圧調整機構に用いられる調整用の金具は着脱することができず、その構造も複雑なものである。
【発明の開示】
【発明が解決しようとする課題】
【０００８】
本発明は、上記の課題に鑑みてなされたものであって、利用者に適した側圧を容易に調整でき、かつ、側圧調整機構の着脱もできるメガネ、光学電子機器および側圧調整部材に関するものである。
【課題を解決するための手段】
【０００９】
本発明は、映像を視認するための機構を備えるフレームと、フレームに対して折曲可能に接続されたテンプルと、を有してなる光学電子機器であって、フレームとテンプルとの接続部分には、テンプルによる側圧を調整する側圧調整部材が配置可能で、側圧調整部材は、テンプルが挿通可能なリング状に形成され、周方向の位置により太さが異なる部分を複数備えていて、テンプルによる側圧は、フレームとテンプルの折曲部分に配置されてフレームとテンプルとにより挟まれる部分の側圧調整部材の太さにより調整される、ことを主な特徴とする。
【発明の効果】
【００１０】
本発明によれば、利用者に合わせた最適な側圧調整を容易にできる。
【図面の簡単な説明】
【００１１】
【図１】本発明に係る光学電子機器の実施の形態を示す斜視図である。
【図２】上記光学電子機器の蝶番部分を拡大した部分拡大図である。
【図３】本発明に係る側圧調整部材の実施の形態を示す斜視図である。
【図４】上記側圧調整部材の実施の形態を示す断面図である
【図５】上記光学電子機器の使用状態の例を示す斜視図である。
【図６】上記光学電子機器の使用状態の別の例を示す斜視図である。
【図７】本発明に係る側圧調整部材の別の実施の形態を示す斜視図である。
【図８】上記側圧調整部材の別の実施の形態を示す断面図である
【図９】本発明に係る側圧調整部材のさらに別の実施の形態を示す斜視図である。
【図１０】上記側圧調整部材のさらに別の実施の形態を示す断面図である
【図１１】本発明に係る側圧調整部材のさらに別の実施の形態を示す（ａ）正面図、（ｂ）平面図、（ｃ）断面図、（ｄ）側面図、である。
【図１２】本発明に係る光学電子機器の別の実施の形態を示す斜視図である。
【発明を実施するための形態】
【００１２】
●光学電子機器の全体構造●
以下、本発明に係る光学電子機器の実施の形態について説明する。図１は、本実施の形態に係る光学電子機器としての３Ｄメガネ１００（以下「メガネ１００」という。）の斜視図である。メガネ１００は、ディスプレイ装置（不図示）に表示される３Ｄ（３次元の立体）映像を視認するためのものである。３Ｄ映像を視認可能にする方式には、公知の液晶シャッター方式、偏光フィルタ方式、ＲＧＢ色分割フィルタ方式などがあるが、メガネ１００は、液晶シャッター方式を採用しているものとする。図１においてメガネ１００は、フレーム１と、テンプル２と、フレーム１とテンプル２とを接続する蝶番３と、蝶番３の縦方向の周囲を覆うように配置される側圧調整部材４と、を有してなる。
【００１３】
●フレームの説明
フレーム１は、横長形状の液晶シャッター１２が嵌め込まれているリム１１を備えている。リム１１の両側端部は、後方に向けられている。この端面が、テンプル２との対向面になる。また、リム１１の中央付近には、ノーズパッド１３が配置されている。なお、液晶シャッター１２のシャッター動作は、メガネ１００が備える制御部（不図示）により制御される。
【００１４】
●テンプルの説明
後方に向けられているリム１１の両側端部の端面には蝶番３が取り付けられている。テンプル２は、蝶番３によって所定の折曲角度範囲内で回動でき、テンプル２をある程度開いて利用者の耳介に掛け、ノーズパッド１３を利用者の鼻に乗せることで、利用者はメガネ１００を装着することができる。
【００１５】
●蝶番の説明
蝶番３は、フレーム１に対してテンプル２を回動可能にし、テンプル２を所定の角度で維持する。
【００１６】
なお、本発明に係る光学電子機器は、上記の実施の形態に限ることはなく、例えば、２Ｄ映像を表示するディスプレイ装置（液晶ディスプレイなど）を、リム１１のはめ込んだものであって、メガネ１００のレンズ部分に映像表示装置を配置する、いわゆるヘッドマウントディスプレイであってもよい。
【００１７】
●側圧調整部材の説明
側圧調整部材４は、弾性部材からなるＯリング形状の部材であって、テンプル２の後端（フレーム１との対向面の他端）から着脱可能で、図１に示すようにテンプル２が開かれた状態になると、テンプル２とフレーム１の間に挟まれて潰される。潰された側圧調整部材４には反発力が生じるので、この反発力により、テンプル２は閉じる方向に押される。このように側圧調整部材４の反発力によって、テンプル２の開き角度が決まり、テンプル２が利用者の側頭部に押し付けられる側圧が決まる。
【００１８】
つまり、テンプル２の開き角度と、これによる側圧の大きさは、側圧調整部材４の反発力の大きさによって変化する。ここで、テンプル２の開き角度とは、テンプル２をフレーム１と略並行の状態から、メガネ１００が利用可能状態になるように、テンプル２を回動させて開いた角度をいう。
【００１９】
側圧調整部材４の反発力の大きさは、フレーム１とテンプル２に挟み込まれる部分の側圧調整部材４の太さによって決まる。言い換えると、フレーム１とテンプル２に挟み込まれる周方向の位置の太さによって決まる。フレーム１とテンプル２に挟み込まれる側圧調整部材４の部分が太ければ太いほど、テンプル２の開き角度は小さく、側圧は大きくなる。また、側圧調整部材４がフレーム１とテンプル２に挟み込まれる部分が細くなるほど、テンプル２の開き角度は大きく、側圧は小さくなる。よって、利用者が、側圧調整部材４の挟まれる部分を任意に選択して、フレーム１とテンプル２に挟まれる側圧調整部材４の太さを変更することで、テンプル２の開き角度とテンプル２による側圧の調整をすることができる。
【００２０】
以上説明したようにメガネ１００は、着脱自在な側圧調整部材４によりテンプル２の開き角度が調整可能に構成されて、この調整されたテンプル２により側圧が与えられる。側圧調整部材４がフレーム１とテンプル２に挟み込まれる部分の太さを変えることで、側圧を変化させることができるので、容易かつ大幅にテンプル２の開き角度と側圧を調整することができる。これによって、大人から子供に至る種々の大きさの頭部に最適な状態で使用可能な光学電子機器を得ることができる。
【００２１】
●側圧調整部材の例
次に、メガネ１００の特徴ある構成について、詳細に説明する。図２は、側圧調整部材４の配置箇所部分を拡大した部分拡大図である。図２に示すように、テンプル２は、蝶番３によって符号Ｘで示す矢印方向に回動する。側圧調整部材４は、回動方向Ｘと直交する縦方向（蝶番３の回動軸方向）に、蝶番３を覆っている。このように、側圧調整部材４が蝶番３を覆うように配置されることで、テンプル２の可動範囲は側圧調整部材４により規制される。
【００２２】
フレーム１とテンプル２の互いの対向面には、収納溝１５が形成されている。収納溝１５は、例えば、対向面を縦方向（蝶番３の回動軸方向）に切削し、略半円筒状に抉ったようになっていて、フレーム１とテンプル２の対向面に接する側圧調整部材４の一部が収まる寸法をもって形成されている。この収納溝１５は、側圧調整部材４がテンプル２とフレーム１の対向面によって挟まれて潰されたときに、フレーム１の外部に側圧調整部材４の一部がはみ出るのを防ぐ。
【００２３】
収納溝１５の幅や深さ寸法と側圧調整部材４の太さの相関によって、テンプル２とフレーム１の間で生じる側圧調整部材４の反発力の大きさは変化する。すなわち、収納溝１５の寸法によって、テンプル２の開き角度が変化し、テンプル２が利用者に与える側圧は変化する。これによって、利用者の頭部の大きさに応じて、最適な開き角度と側圧を与える状態のテンプル２の位置を設定することができる。
【００２４】
収納溝１５の寸法を変えるには、収納溝１５の幅や深さを調整すればよい。例えば、図示しない嵌め込み部材を側圧調整部材４に用いればよい。その場合、側圧調整部材４がほぼ入り込む寸法で収納溝１５を形成しておき、嵌め込み部材によって収納溝１５を小さく調整できるようにすればよい。
【００２５】
●側圧調整方法の例
次に、側圧調整部材４による側圧の調整方法について説明する。図３は、側圧調整部材４の例を示す斜視図である。図３に示すように、側圧調整部材４は、Ｏリング状の部材であって、周方向において太さが連続的に異なる形状からなる。側圧調整部材４の素材は、シリコンゴムやＮＢＲゴムまたはクロロプレーンゴムなどの弾性素材である。例えば、ゴム硬度が２０から３０度（輪ゴムの硬さに近いもの）、伸び率は４００から１０００（輪ゴムの伸び率に近いもの）、引張強さは輪ゴムの引張強さに相当するものであって、フレーム１とテンプル２の色と同系統のもの（例えば黒色）が望ましい。
【００２６】
図３において側圧調整部材４は、細い部分である最細部４１と一番太い最太部４２が、側圧調整部材４の径方向における正反対の位置（１８０度異なる位置）に形成されていて、最細部４１と最太部４２の間が中太部４３になっている。側圧調整部材４のＡ線断面図を図４に示す。図４に示すように、最細部４１の太さをａとし、最太部４２の太さをｂとし、中太部４３の太さをｃとする（不図示）と、側圧調整部材４の太さは、ａ＜ｃ＜ｂの関係にある。
【００２７】
この側圧調整部材４の最細部４１がフレーム１とテンプル２との対向面に挟まれるように、側圧調整部材４を配置したときのメガネ１００の使用状態の例は、図１のようになる。この場合、テンプル２の開き角度は大きく、テンプル２の後端の間が大きく開くから、メガネ１００は頭部の寸法が大きい大人に適した状態になる。
【００２８】
また、側圧調整部材４の最太部４２がフレーム１とテンプル２との対向面に挟まれるように、側圧調整部材４を配置したときのメガネ１００の使用状態の例を図５に示す。図５に示したメガネ１００は、図１に示したメガネ１００に比べると、テンプル２の開き角度は小さく、テンプル２の後端が接近している。この状態では、テンプル２の間は狭くなるから、メガネ１００は頭部の寸法が小さい子供に適した状態になる。
【００２９】
また、側圧調整部材４の中太部４３がフレーム１とテンプル２との対向面に挟まれるように、側圧調整部材４を配置したときのメガネ１００の使用状態の例を図６に示す。図６に示したメガネ１００は、図１に示したメガネ１００に比べると、テンプル２の開き角度がやや小さく、テンプル２の後端は中間的な位置になっている。この状態におけるメガネ１００は、頭部の寸法が小さい大人や若年に適した状態になる。
【００３０】
以上説明をした実施の形態によれば、側圧調整部材４を用いて、テンプル２の開き角度と側圧の大きさを調整することができるので、利用者はメガネ１００を使用するときに最適な側圧を自ら容易に設定することができる。
【００３１】
また、図３の示した側圧調整部材４の太さは、周方向において連続的に変化しているので、テンプル２の側圧の大きさを無段階に調整できる。このため、より幅広い利用者に最適な側圧を与えるメガネを得ることができる。
【００３２】
なお、側圧調整部材の形状は上記図３に示した例に限られるものではなく、例えば、周方向において不連続に（ランダムに）異なる太さからなる、Ｏリング状の弾性部材であってもよい。
【００３３】
なお、側圧調整部材４は、着脱可能であるから、本実施の形態に係るメガネ１００において、フレーム１とテンプル２との対向面に、最細部４１が挟まれるようにしても側圧が大きすぎる利用者は、側圧調整部材４を取り外せばよい。
【００３４】
●側圧調整部材の別例
次に、本発明に係る側圧調整部材の別の実施の形態について説明する。図７に示す側圧調整部材４ａは、太さが略９０度間隔で異なるものである。側圧調整部材４ａは、最太部４２ａと中太部４３ａが略１８０度異なる位置に形成されていて、最細部４１ａが、最太部４２ａと中太部４３ａの間に形成されている。なお、最細部４１ａは、最太部４２ａおよび中太部４３ａと略９０度異なる位置に形成されている。
【００３５】
側圧調整部材４ａのＡ線断面図を図８に示す。図８に示すように、側圧調整部材４ａは、断面形状が略矩形状であって、中太部４３ａの太さをｄとし、最太部４２ａの太さをｅとし、最細部４１ａの太さをｆ（不図示）とすると、側圧調整部材４ａの太さは、周方向において等角度間隔で異なり、ｆ＜ｄ＜ｅの関係にある。
【００３６】
側圧調整部材４ａのように、太さを周方向において略９０度間隔で異なるようにすることで、テンプル２の開き角度と側圧を多段階で調整することができる。
【００３７】
●側圧調整部材の別例
次に、本発明に係る側圧調整部材の別の実施の形態について説明する。図９に示す側圧調整部材４ｃは、太さが略９０度間隔で異なるものである。側圧調整部材４ｃは、最太部４２ｃと中太部４３ｃが略１８０度異なる位置に形成されていて、最細部４１ｃが、最太部４２ｃと中太部４３ｃの間に形成されている。なお、最細部４１ｃは、最太部４２ｃおよび中太部４３ｃと略９０度異なる位置に形成されている。
【００３８】
側圧調整部材４ｃのＡ線断面図を図１０に示す。図１０に示すように、側圧調整部材４ｃは、断面形状が略円形状であって、最太部４２ｃの太さをｅ１とし、中太部４３ｃの太さをｄ１とし、最細部４１ｃの太さをｆ１（不図示）とすると、側圧調整部材４ｃの太さは、周方向において等角度間隔で異なり、ｆ１＜ｄ１＜ｅ１の関係にある。
【００３９】
側圧調整部材４ｃのように、径方向の寸法を略９０度間隔で異ならせることで、テンプル２の開き角度と側圧を多段階で調整することができる。なお、側圧調整部材４ｃの太さを異ならせる周方向における角度間隔は、略９０度に限ることはなく、略１２０度間隔やその他の角度間隔であってもよい。この場合、等角度間隔で太さが異なるようにすればよい。
【００４０】
また、本実施の形態に係る側圧調整部材４は、図９に示したように、等角度間隔で太さが異なる形状に限ることはなく、任意の角度間隔をもって、所定の異なる太さからなるＯリング形状の弾性部材であってもよい。
【００４１】
●側圧調整部材の別例
次に、本発明に係る側圧調整部材のさらに別の実施の形態について説明する。図１１は、径方向の寸法が異なる部分を略１８０度間隔で段階的に形成してなる側圧調整部材４ｂの例であって、図１１（ａ）は側圧調整部材４ｂの正面図、図１１（ｂ）は側圧調整部材４ｂの平面図、図１１（ｃ）は側圧調整部材４ｂのＡ線断面図、図１１（ｄ）は側圧調整部材４ｂの側面図、をそれぞれ示している。
【００４２】
図１１に示すように、側圧調整部材４ｂは、最太部４２ｂと中太部４３ｂとを径方向の反対側に配置し、最太部４２ｂと中太部４３ｂの間を最細部４１ｂによって繋いでいる。最細部４１ｂの太さをｆ２（不図示）とし、最太部４２ｂの太さをｅ２とし、中太部４３ｂの太さをｄ２とする。側圧調整部材４ｂは、最太部４２ｂと最細部４１ｂの太さの差を大きくしてあり、中太部４３ｂと最細部４１ｂの太さの差も大きくしてあるので、メガネ１００の利用者は、テンプル２の多様な開き角度と側圧の設定を容易に行うことができる。
【００４３】
●側圧調整部材の保持溝の例
次に、本発明に係る光学電子機器の別の実施の形態について説明する。図１２は、本実施の形態に係るメガネ１００ａの例であって、テンプル２を折り畳んだ状態を示している。メガネ１００ａのテンプル２には、図示しない側圧調整部材４を保持するための保持溝２５が形成されている。保持溝２５は、たとえば、テンプル２の付け根付近（蝶番３の近傍）の外周を切削して形成した半円筒形状の溝などである。
【００４４】
側圧調整部材４を使用しないときは、この保持溝２５に側圧調整部材４を掛止しておけば、側圧調整部材４を紛失することなく、利用者が側圧調整部材４を使用したいときに、すぐに使用できる。
【００４５】
●メガネの実施の形態
これまで説明したように、本発明に係る光学電子機器としての３Ｄメガネによれば、複数の太さからなる側圧調整部材４をテンプル２とフレーム１の間に挟むことで、テンプル２の開き角度と側圧を任意に調整することができる。したがって、上記実施の形態に係るメガネ１００のフレーム１に、液晶シャッター１２の代わりにレンズを配置することで、容易にテンプル２の開き角度と側圧を調整することができる通常のメガネを得ることもできる。
【００４６】
すなわち、本発明に係る側圧調整部材は、フレームとテンプルを備えるものであれば、３Ｄメガネと通常のメガネのいずれにも適用可能である。なお、本発明に係る側圧調整部材を着脱できる３Ｄメガネや通常のメガネには、必ずしも、収納溝１５や保持溝２５は設けられていなくてもよい。
【符号の説明】
【００４７】
１  フレーム
２  テンプル
３  蝶番
４  側圧調整部材
【図１】
2014038202.tif 000003
【図２】
2014038202.tif 000004
【図３】
2014038202.tif 000005
【図４】
2014038202.tif 000006
【図５】
2014038202.tif 000007
【図６】
2014038202.tif 000008
【図７】
2014038202.tif 000009
【図８】
2014038202.tif 000010
【図９】
2014038202.tif 000011
【図１０】
2014038202.tif 000012
【図１１】
2014038202.tif 000013
【図１２】
2014038202.tif 000014